(57)【要約】【課題】警報を出力した事実を確実に関係者に知らしめることができる警報装置等を提供すること。【解決手段】警報を出力する第１の警報出力装置（３６）と、第１の警報出力装置が警報を出力したか否かを判断する出力判断部（４３）と、警報の出力を停止させる警報出力停止部（３９）と、を有し、出力判断部は前記第１の警報出力装置が、警報を出力していないと判断したとき、他の警報出力装置である第２の警報出力装置（３７）で警報を出力する構成となっており、第１の警報出力装置又は第２の警報出力装置が警報を出力した後、所定時間内に警報出力停止部から停止情報の入力がないとき、警報の出力を変更する構成となっている警報装置（１０）
2015141622.tif 000002
【特許請求の範囲】
【請求項１】
警報を出力する第１の警報出力装置と、  前記第１の警報出力装置が前記警報を出力したか否かを判断する出力判断部と、  前記警報の出力を停止させる警報出力停止部と、を有し、  前記出力判断部は前記第１の警報出力装置が、前記警報を出力していないと判断したとき、他の警報出力装置である第２の警報出力装置で警報を出力する構成となっており、  前記第１の警報出力装置又は前記第２の警報出力装置が警報を出力した後、所定時間内に前記警報出力停止部から停止情報の入力がないとき、前記警報の出力を変更する構成となっていることを特徴とする警報装置。
【請求項２】
前記警報を報知されるべき報知対象者が所持する端末装置と通信可能な構成となっており、  当該警報が出力されたことを認識し得る対象者の存在を感知する感知部を有し、  前記警報の出力を変更した後、所定時間内に前記警報出力停止部から停止情報の入力がないときで、前記感知部が対象者の存在を感知しないときは、当該警報発生の事実に関する情報を前記端末装置に送信する構成となっていることを特徴とする請求項１に記載の警報装置。
【請求項３】
前記警報は、特定周波数の組み合わせからなる特定警報を有することを特徴とする請求項１又は請求項２に記載の警報装置。
【請求項４】
人工心肺装置と、  血液の体外循環を管理する体外循環管理装置と、を有する体外循環装置であって、  請求項１乃至請求項３のいずれか１項に記載の前記警報装置を備えることを特徴する体外循環装置。
【請求項５】
警報を出力する警報出力装置と、  前記警報を報知されるべき報知対象者が所持する端末装置と通信可能な構成と、  前記警報が出力されたことを認識し得る対象者の存在を感知する感知部と、を有し、  前記感知部が対象者の存在を感知しないときは、当該警報発生の事実に関する情報を前記端末装置に送信する構成となっていることを特徴とする警報装置。
【請求項６】
警報を出力する第１の警報出力装置と、  前記警報出力装置が前記警報を出力したか否かを判断する出力判断部と、  前記警報の出力を停止させる警報出力停止部と、を有し、  前記出力判断部は前記警報出力装置が、前記警報を出力していないと判断したとき、他の警報出力装置である第２の警報出力装置で警報を出力し、  前記第１の警報出力装置又は前記第２の警報出力装置が警報を出力した後、所定時間内に前記警報出力停止部から停止情報の入力がないとき、前記警報の出力を変更する構成となっていることを特徴とする警報装置の制御方法。
【発明の詳細な説明】
【技術分野】
【０００１】  本発明は、例えば、異常発生等を報知する警報装置、警報装置を有する体外循環装置及び警報装置の制御方法に関するものである。
【背景技術】
【０００２】  従来から医療現場で使用する医療機器等は、その機器の動作等が患者の生命等に関するものであるため警報装置を有している。  例えば、手術中等において患者に対する血液の供給が必要なとき、患者の血液を体外で循環させるため人工心肺装置等を有する体外循環装置等の医療機器が用いられ、このような体外循環装置にも警報装置が設けられている（例えば、特許文献１）。  体外循環装置の場合は、患者の血液を体外で循環させるため、例えば、循環中の血液の流量等の異常や圧力の異常等を検知したときに警報装置が動作し、警報を出力する構成となっている。
【先行技術文献】
【特許文献】
【０００３】
【特許文献１】特開２００６―３２５７５０号公報
【発明の概要】
【発明が解決しようとする課題】
【０００４】  しかしながら、このような警報装置を体外循環装置が有していても、警報装置の故障等により、結果的に警報の事実が関係者に伝わらない場合が生じ得るという問題があった。  かかる問題は、例えば、医療機器等では極めて重大な結果を招きかねないため、特に問題となっていた。【０００５】  そこで、本発明では、警報を出力した事実を確実に関係者に知らしめることができる警報装置、体外循環装置及び警報装置の制御方法を提供することを目的とする。
【課題を解決するための手段】
【０００６】  上記目的は、本発明にあっては、警報を出力する第１の警報出力装置と、前記第１の警報出力装置が前記警報を出力したか否かを判断する出力判断部と、前記警報の出力を停止させる警報出力停止部と、を有し、前記出力判断部は前記第１の警報出力装置が、前記警報を出力していないと判断したとき、他の警報出力装置である第２の警報出力装置で警報を出力する構成となっており、前記第１の警報出力装置又は前記第２の警報出力装置が警報を出力した後、所定時間内に前記警報出力停止部から停止情報の入力がないとき、前記警報の出力を変更する構成となっていることを特徴とする警報装置により達成される。【０００７】  前記構成によれば、出力判断部はスピーカ等の第１の警報出力装置が、警報を出力していないと判断したとき、他の警報出力装置であるブザー等の第２の警報出力装置で警報を出力する構成となっている。このため、スピーカ等の第１の警報出力部が故障等で警報を出力できないときでも、ブザー等の第２の警報出力装置が警報を出力するので、警報が出力されないという事態の発生は未然に防止することができる。  また、前記構成では、スピーカ等の第１の警報出力装置又はブザー等の第２の警報出力装置が警報を出力した後、所定時間内に警報出力停止部から停止情報の入力がないとき、例えば、スピーカの音量を最大にする等して、警報の出力を変更する構成となっている。  したがって、警報の発生を確実に関係者である看護師等に知らしめることができる。【０００８】  好ましくは、前記警報を報知されるべき報知対象者が所持する端末装置と通信可能な構成となっており、当該警報が出力されたことを認識し得る対象者の存在を感知する感知部を有し、前記警報の出力を変更した後、所定時間内に前記警報出力停止部から停止情報の入力がないときで、前記感知部が対象者の存在を感知しないときは、当該警報発生の事実に関する情報を前記端末装置に送信する構成となっていることを特徴とする。【０００９】  前記構成によれば、当該警報が出力されたことを認識し得る対象者の存在を感知する人感知センサ等の感知部を有し、警報の出力を変更した後、所定時間内に警報出力停止部から停止情報の入力がないときで、感知部が対象者の存在を感知しないときは、当該警報発生の事実に関する情報を、警報を報知されるべき看護師等の報知対象者が所持する端末装置に送信する構成となっている。  したがって、警報装置の付近に看護師等の報知対象者が所在していなくても、確実に当該警報の事実を知らせることができる。【００１０】  好ましくは、前記警報は、特定周波数の組み合わせからなる特定警報を有することを特徴とする。【００１１】  前記構成によれば、前記警報は、特定周波数の組み合わせからなる特定警報なので、出力判断部は、明確に警報の出力の有無を判断することができ、間違った判断をすることを未然に防ぐことができる。【００１２】  好ましくは、人工心肺装置と、血液の体外循環を管理する体外循環管理装置と、を有する体外循環装置であって、請求項１乃至請求項３のいずれか１項に記載の前記警報装置を備えることを特徴する。【００１３】  上記目的は、本発明にあっては、警報を出力する警報出力装置と、前記警報を報知��れるべき報知対象者が所持する端末装置と通信可能な構成と、前記警報が出力されたことを認識し得る対象者の存在を感知する感知部と、を有し、前記感知部が対象者の存在を感知しないときは、当該警報発生の事実に関する情報を前記端末装置に送信する構成となっていることを特徴とする警報装置により達成される。【００１４】  上記目的は、本発明にあっては、警報を出力する第１の警報出力装置と、前記警報出力装置が前記警報を出力したか否かを判断する出力判断部と、前記警報の出力を停止させる警報出力停止部と、を有し、前記出力判断部は前記警報出力装置が、前記警報を出力していないと判断したとき、他の警報出力装置である第２の警報出力装置で警報を出力し、前記第１の警報出力装置又は前記第２の警報出力装置が警報を出力した後、所定時間内に前記警報出力停止部から停止情報の入力がないとき、前記警報の出力を変更する構成となっていることを特徴とする警報装置の制御方法により達成される。
【発明の効果】
【００１５】  以上説明したように、本発明によれば、警報を出力した事実を確実に関係者に知らしめることができる警報装置、体外循環装置及び警報装置の制御方法を提供することができる。
【図面の簡単な説明】
【００１６】
【図１】本発明の警報装置を備える体外循環装置の主な構成を示す概略図である。
【図２】コントローラが有する警報装置の構成を主に示す概略ブロック図である。
【図３】図１の体外循環装置の主な動作例等を示す概略フローチャートである。
【図４】図１の体外循環装置の主な動作例等を示す他の概略フローチャートである。
【図５】本発明の実施の形態の変形例を示すコントローラの概略ブロック図である。
【発明を実施するための形態】
【００１７】  以下、この発明の好適な実施の形態を、添付図面等を参照しながら、詳細に説明する。  尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】  図１は、本発明の警報装置を備える体外循環装置１の主な構成を示す概略図である。  図１に示す、体外循環装置１は、図１に示す患者Ｐの血液の体外循環を行う装置であるが、この「体外循環」には「体外循環動作」と「補助循環動作」が含まれる。  「体外循環動作」は、体外循環装置１の適用対象である患者（被術者）Ｐの心臓に血液が循環しないため患者Ｐの体内でガス交換ができない場合に、この体外循環装置１により、血液の循環動作と、この血液に対するガス交換動作（酸素付加及び／又は二酸化炭素除去）を行うことである。  また、「補助循環動作」とは、体外循環装置１の適用対象である患者（被術者）Ｐの心臓に血液が循環し、患者Ｐの肺でガス交換を行える場合で、体外循環装置１によっても血液の循環動作の補助を行うことである。装置によっては血液に対するガス交換動作を行う機能を持つものもある。
【００１９】  ところで、本実施の形態に係る図１に示す体外循環装置１では、例えば患者Ｐの心臓外科手術を行う場合やその後の病室等で用いられる。具体的には、体外循環装置１の遠心ポンプ３を作動させ、患者Ｐの静脈（大静脈）から脱血して、人工心肺装置である例えば、人工肺２により血液中のガス交換を行って血液の酸素化を行った後に、この血液を再び患者Ｐの動脈（大動脈）に戻す「人工肺体外血液循環」を行う。すなわち、体外循環装置１は、心臓と肺の代行を行う装置となる。
【００２０】  また、体外循環装置１は、以下のような構成となっている。すなわち、図１に示すように、体外循環装置１は、血液を循環させる「循環回路１Ｒ」を有し、循環回路１Ｒは、人工心肺装置である例えば、「人工肺２」、「遠心ポンプ３」、「ドライブモータ４」、「静脈側カテーテル（脱血側カテーテル）５」と、「動脈側カテーテル（送血側カテーテル）６」と、体外循環管理装置である例えば、コントローラ１０を有している。なお、遠心ポンプ３は、血液ポンプとも称し、遠心式以外のポンプも利用できる。
【００２１】  そして、図１の静脈側カテーテル（脱血側カテーテル）５は、大腿静脈より挿入され、静脈側カテーテル５の先端が右心房に留置される。動脈側カテーテル（送血側カテーテル）６は、大腿動脈より挿入される。静脈側カテーテル５は、脱血チューブ１１を用いて遠心ポンプ３に接続されている。脱血チューブ（「脱血ライン」とも称す。）１１は、血液を送る管路である。  ドライブモータ４がコントローラ１０の指令ＳＧにより遠心ポンプ３を操作させると、遠心ポンプ３は、脱血チューブ１１から脱血して人工肺２に通した血液を、送血チューブ１２（「送液ライン」とも称する。）を介して患者Ｐに戻す構成となっている。
【００２２】  人工肺２は、遠心ポンプ３と送血チューブ１２の間に配置されている。人工肺２は、この血液に対するガス交換動作（酸素付加及び／又は二酸化炭素除去）を行う。人工肺２は、例えば、膜型人工肺であるが、特に好ましくは中空糸膜型人工肺を用いる。送血チューブ１２は、人工肺２と動脈側カテーテル６を接続している管路である。  脱血チューブ１１と送血チューブ１２は、例えば、塩化ビニル樹脂やシリコーンゴム等の透明性が高く、可撓性を有する合成樹脂製の管路が使用できる。  脱血チューブ１１内では、血液はＶ方向に流れ、送血チューブ１２内では、血液はＷ方向に流れる。
【００２３】  また、体外循環装置１は、その脱血チューブ１１に、「血液流量センサ１４」を有している。この血液流量センサ１４は、患者Ｐから脱血チューブ１１を介して流れてくる血液の流量の値を検知する構成となっている。  また、送血チューブ１２の患者Ｐ側には、「圧力センサ１５」が配置されている。  この「圧力センサ１５」は、送血チューブ１２内の血液の圧力値を検知する構成となっている。すなわち、圧力センサ１５は、管路を通る血液の圧力を測定するセンサであり、血液の異常な圧力を検知するためのセンサである。  血液の圧力異常は、循環管路１Ｒのチューブのキンク、人工肺２の詰まり、遠心ポンプ３の詰まり等で生じることが多く、この圧力異常により、溶血（赤血球の破壊）が発生するおそれがある。また、圧力の上昇でチューブが外れて血液の漏洩等が生じるおそれもある。  そこで、体外循環装置１は、圧力センサ１５を有し、管路内の血液の圧力を測定し、循環異常情報である例えば、圧力異常があったときは、一定の条件下で「警告」や「警報」を発するための警報装置が後述するように、コントローラ１０に備えられている。
【００２４】  血液流量センサ１４は、管路を通る血液の流量値を測定するセンサであり、流量値の異常を検知するためのセンサである。  流量値の異常は、循環管路１Ｒのチューブのキンク、ドライブモータ４及び遠心ポンプ３の回転数が低下、圧力損失の増大等で生じ、循環管路１Ｒ内の血液の循環不良を発生させ、これにより、患者に低酸素症等を招来させるおそれもある。  そこで、体外循環装置１は、血液流量センサ１４を有し、管路内の血液の流量を測定し、流量異常があったときは、一定の条件下で「警告」や「警報」を発するための警報装置が後述するように、コントローラ１０に備えられている。  なお、血液流量センサ１４としては，例えば、超音波流量センサ等が用いられる。
【００２５】  また、管路内の血液に流量異常等が生じたときに、かかる異常な状態のままで血液が患者Ｐに送られるのを阻止するときは、図１の送血チューブ１２の圧力センサ１５のコントローラ１０側で鉗子を使用して緊急に閉塞することができる構成となっている。  なお、コントローラ１０には、図１に示すように、各種情報を表示等するディスプレイ３４が形成されている。
【００２６】  また、図１に示すように、体外循環装置１のコントローラ１０は、報知対象者である例えば、看護師等が所持する端末装置である例えば、携帯電話１００と通信可能な構成となっている。
【００２７】  図１に示す体外循環装置１のコントローラ１０等は、コンピュータを有し、コンピュータは、ＣＰＵ（Ｃｅｎｔｒａｌ  Ｐｒｏｃｅｓｓｉｎｇ  Ｕｎｉｔ）の他、図示しないＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バスを介して接続されている。
【００２８】  図２は，コントローラ１０が有する警報装置の構成を主に示す概略ブロック図である。  図２に示すように、コントローラ１０の制御部であるＣＰＵ３１を有し、ＣＰＵ３１は、コントローラ１０の以下の部分を制御している。  すなわち、コントローラ１０は、図２に示す、コントローラ１０が図１に示す携帯電話１００と通信するための「コントローラ側通信装置３２」、時刻情報を生成する「計時装置３３」、ディスプレイ３４と、このディスプレイ３４を制御する「画面表示制御部３４ａ」を有している。  また、コントローラ１０は、感知部である例えば、「人感知センサ３５」及び「人感知センサ検出部３５ａ」を有している。この人感知センサ３５は、その周囲に人の存在を検知するセンサであって、例えば、マイクロ波電波センサ等である。  また、人感知センサ検出部３５ａは、人感知センサ３５のデータを検出する構成となっている。
【００２９】  また、コントローラ１０は、第１の警報出力装置である例えば、警報を出力する「スピーカ３６」及び「スピーカ制御部３６ａ」を有している。このスピーカ３６から出力される警報は、特定周波数の組み合わせからなる特定警報、例えば、特定アラームであり、具体的には、１ｋＨｚ以下の基本周波数成分で構成される音（ドレミファソ等）となっている。  そして、スピーカ制御部３６ａは、このスピーカ３６を制御する構成となっている。
【００３０】  また、コントローラ１０は、第２の警報出力装置である例えば、ブザー音で警報を出力する「ブザー３７」及び「ブザー制御部３７ａ」を有している。このブザー制御部３７ａは、このブザー３７を制御する構成となっている。
【００３１】  また、コントローラ１０は、スピーカ３６等の警報音を集音し電気信号に変換する「マイク３８」と「マイク入力部３８ａ」を有している。このマイク入力部３８ａは、マイク３８で生成した電気信号を入力等する構成となっている。
【００３２】  さらに、コントローラ１０は、警報等の出力を停止させる警報出力停止部である停止スイッチ等を有する「入力装置３９」及び「入力装置制御部３９ａ」を有している。この入力装置制御部３９ａは、入力装置３９を制御する構成となっている。
【００３３】  また、コントローラ１０は、図１の遠心ポンプ３を駆動するドライブモータ４を制御する「モータ制御部４０」を有している他、図２に示す他の記憶部や判断部（プログラム）等を有し、ＣＰＵ３１で制御されるが、これの構成は後述する。
【００３４】  図３及び図４は、図１の体外循環装置１の主な動作例等を示す概略フローチャートである。以下、これらのフローチャートに沿って説明すると共に、図１及び図２等の構成等についても説明する。  また，本実施の形態では、患者Ｐに対して設置された体外循環装置１に、流量や圧力異常等が発生して警報（アラーム）が出力される場合を例に説明する。
【００３５】  先ず、図３のステップＳＴ（以下、「ＳＴ」とする。）１で、コントローラ１０は、圧力センサ１５や血液流量センサ１４の検出値等から警報（アラーム）を出力すべきか否かを判断する。  ＳＴ１で、アラームを出力すべきと判断したときは、ＳＴ２へ進む。ＳＴ２では、スピーカ制御部３６ａ等は、図２の「特定アラーム情報記憶部４１」を参照する。この特定アラーム情報記憶部４１には、スピーカ３６から出力すべき音の基本周波数（１ｋＨｚ以下の基本周波数成分で構成される音（ドレミファソ等）のデータから成る「特定アラーム」情報が記憶されている。  このため、スピーカ制御部３６ａ等は、この基本周波数で構成された「特定アラーム」を、スピーカ３６から出力することとなる。
【００３６】  次いで、ＳＴ３へ進む。ＳＴ３では、マイク３８がスピーカ３６からのアラームの音を取得したか否かを判断する。ＳＴ３で、マイク３８が音を取得したときは、ＳＴ４へ進む。  ＳＴ４では、マイク３８が取得したアラームの音を図２の「取得音記憶部４２」に記憶させる。
【００３７】  次いで、ＳＴ５へ進む。ＳＴ５では、取得した音が「特定アラーム」であるか否かを判断する。  具体的には、図２の「特定アラーム判断部（プログラム）４３」が、取得音記憶部４２のマイクが取得した音と特定アラーム情報記憶部４１の「特定アラーム」とを比較し、取得した音が特定アラームに該当するか否かを判断する。  すなわち、取得した音の周波数等が。基本アラームの基本周波数等と一致するか否かを判断する。  このように、図２の「特定アラーム判断部（プログラム）４３」等が出力判断部の一例となっている。
【００３８】  ＳＴ５で、取得した音が特定アラームに該当しないと判断したときは、スピーカ３６の故障と判断して、ＳＴ６へ進む。  このように本実施の形態では、スピーカ３６が故障した否かを基本周波数からなる「特定アラーム」との対比で行うため精度の高い判断を行うことができる。
【００３９】  ＳＴ６では、図２のブザー制御部３７ａの制御等でブザー３７がブザー音を出力する。  このように、本実施の形態では、スピーカ３７が故障等したときは、ブザー音を出力することで、当該アラームの事実を報知すべき看護師等に知らせることができる構成となっている。
【００４０】  一方、ＳＴ３で、マイク３８が音を取得できなかったときも、スピーカ３６の故障としてＳＴ６へ進み、ブザー音を出力する。
【００４１】  ＳＴ５で、マイク３８が取得した音が特定アラームであり、ＳＴ６でブザー音が出力される場合は、アラームがスピーカ３６又はブザー３７から出力されている状態であり、看護師等が、アラームを聞いていれば、図２の入力装置３９を操作して、アラームの解除操作をすることが予想される。  このため、ＳＴ７では、看護師等が入力装置３９を操作して、アラームの解除操作を実行したか否かを判断する。
【００４２】  ＳＴ７で、アラーム解除操作が実行されないときは、ＳＴ８へ進み、図２の計時装置３３を参照し、所定時間経過したか否かを判断する。  ＳＴ８で，所定時間が経過したと判断したときは、ＳＴ９へ進む。  ＳＴ９では、看護師等にアラームが伝わっていない（聞こえていない）と判断して、スピーカ３６又はブザー３７の音量を変更して例えば、最大とする。
【００４３】  次いで、ＳＴ１０へ進む。ＳＴ１０では、再び、看護師等が入力装置３９を操作して、アラームの解除操作を実行したか否かを判断する。すなわち、この最大音量のアラームで看護師等がアラームの事実に気付き、看護師等が入力装置３９を操作して、アラームの解除操作を実行したか否かを判断する。  ＳＴ１０で、アラーム解除操作が実行されないときは、ＳＴ１１へ進む。ＳＴ１１では、図２の計時装置３３を参照し、所定時間経過したか否かを判断する。
【００４４】  ＳＴ１１で、所定時間が経過したときは、ＳＴ１２へ進む。ＳＴ１２では、人感知センサ３５が、周囲の人の存在を感知したか否かを判断する。  ＳＴ１２で、人感知センサ３５が、人の存在を感知したときは、看護師等が体外循環装置１の周囲に所在していると判断し、ＳＴ１０及びＳＴ１１の工程を繰り返し、看護師等が入力装置３９を操作し、アラームが解除されるまで繰り返す。
【００４５】  一方、ＳＴ１２で人感知センサ３５が、周囲の人の存在を感知しないときは、ＳＴ１３へ進む。ＳＴ１３では、体外循環装置１の周囲には、看護師等が所在していないと判断し、スピーカ３６等のアラームの出力以外の他の通知方法を選択する。  すなわち、先ず、コントローラ１０は、図２の「通知対象端末情報記憶部４４」を参照する。この通知対象端末情報記憶部４４には、当該体外循環装置１に関するアラームを通知する看護師等の対象者の携帯電話１００等の携帯端末等の通信用アドレス等の情報が記憶されている。  このため、コントローラ１０は、通知対象端末情報記憶部４４から当該体外循環装置１に関するアラームを通知する看護師等の携帯電話１００のアドレスや電話番号等を取得して、当該検体電話１００にアラームの事実を送信する。
【００４６】  このように本実施の形態では、体外循環装置１に関するアラームを、報知すべき看護師等に確実に知らせることができ、患者Ｐに重大な事態が発生することを未然に防止することができる。
【００４７】（本実施の形態の変形例）  図５は、本発明の実施の形態の変形例を示すコントローラ２００の概略ブロック図である。本変形例の構成の多くは、上述の実施の形態と共通しているため、共通している部分は、上述の実施の形態と同一符号等として、その説明を省略し、以下、相違点を中心に説明する。  本変形例のコントローラ２００は、上述の実施の形態のコントローラ１０と異なり、ＣＰＵ３１と異なる「ＦＰＧＡ２０２」を有している。このＦＰＧＡ２０２は、Ｆｉｅｌｄ―ｐｒｏｇｒａｍｍａｂｌｅ  ｇａｔｅ  ａｒｒａｙであり、製造後に購入者や設計者が構成を設定できる集積回路である。そしてＦＰＧＡ２０２は、新たにＣＰＵを付加する場合に比べコストを低減させることができるものである。  また、このＦＰＧＡ２０２は、ブザー３７をブザー制御部３７ａを介して制御することができる構成となっている。
【００４８】  また、本変形例では、ＣＰＵ３１とＦＰＧＡ２０２が相互に監視する構成ともなっている。このため、例えば、ＣＰＵ３１に故障が生じ、スピーカ３６がアラームを出力できないときは、直ちに、ＦＰＧＡ２０２が動作して、ブザー３７からアラームを出力することができる。  このため、アラームの出力をより確実に確保することができる構成となっている。
【符号の説明】
【００４９】  １・・・体外循環装置、２・・・人工肺、３・・・遠心ポンプ、４・・・ドライブモータ、５・・・静脈側カテーテル（脱血側カテーテル）、６・・・動脈側カテーテル（送血側カテーテル）、１０、２００・・・コントローラ、１１・・・脱血チューブ、１２・・・送血チューブ、１４・・・血液流量センサ、１５・・・圧力センサ、３１・・・ＣＰＵ、３２・・・コントローラ側通信装置、３３・・・計時装置、３４・・・ディスプレイ、３４ａ・・・画面表示制御部、３５・・・人感知センサ、３５ａ・・・人感知センサ検出部、３６・・・スピーカ、３６ａ・・・スピーカ制御部、３７・・・ブザー、３７ａ・・・ブザー制御部、３８・・・マイク、３８ａ・・・マイク入力部、３９・・・入力装置、３９ａ・・・入力装置制御部、４０・・・モータ制御部、４１・・・特定アラーム情報記憶部、４２・・・取得音記憶部、４３・・・特定アラーム判断部（プログラム）、４４・・・通知対象端末情報記憶部、１００・・・携帯電話、２０２・・・ＦＰＧＡ、１Ｒ・・・循環回路、Ｐ・・・患者
【図１】
2015141622.tif 000003
【図２】
2015141622.tif 000004
【図３】
2015141622.tif 000005
【図４】
2015141622.tif 000006
【図５】
2015141622.tif 000007
【国際調査報告】
2015141622.tif 000008
2015141622.tif 000009
2015141622.tif 000010
2015141622.tif 000011